(57)【要約】【課題】小さな力で開蓋操作を行うことができるととともに、保管などの際に嵩張ることのないヒンジキャップを提供する。【解決手段】注出孔６を有するキャップ頂壁４の外周からキャップ周壁１０を垂下させてなるキャップ本体２と、このキャップ本体２の後部２ａへ第１ヒンジ１４を介して連結された後部１６ａを有し、前記キャップ頂壁４を開閉可能な蓋体１６と、蓋体１６の前部へ左右一対の第２ヒンジ２６を介して連結され、その連結箇所から下方へ延びる第１状態と当該連結箇所から略前方へ庇状に延びる第２状態との間を回転可能に形成した鍔部３０と、を具備する。前記第２状態から鍔部３０をさらに引き上げると、鍔部３０の基端Ｅ１側が蓋体１６に突き当たって、これら鍔部３０及び蓋体１６が第１ヒンジ１４を中心として開方向へ回転するように形成した。【選択図】図１
2018090283.tif 000002
【特許請求の範囲】
【請求項１】
注出孔(６)を有するキャップ頂壁(４)の外周からキャップ周壁(１０)を垂下させてなるキャップ本体(２)と、
このキャップ本体(２)の後部（２ａ）へ第１ヒンジ（１４）を介して連結された後部（１６ａ）を有し、前記キャップ頂壁(４)を開閉可能な蓋体(１６)と、
蓋体(１６)の前部へ左右一対の第２ヒンジ(２６)を介して連結され、その連結箇所から下方へ延びる第１状態と当該連結箇所から略前方へ庇状に延びる第２状態との間を回転可能に形成した鍔部(３０)と、
を具備し、
前記第２状態から鍔部(３０)をさらに引き上げると、鍔部(３０)の基端(Ｅ１)側が蓋体(１６)に突き当たって、これら鍔部(３０)及び蓋体(１６)が第１ヒンジ(１４)を中心として開方向へ回転するように形成したことを特徴とする、ヒンジキャップ。
【請求項２】
前記鍔部(３０)の左右方向両側部(３０ｂ)を、第２ヒンジ(２６)を介して蓋体(１６)に連結するとともに、左右方向中間部(３０ａ)を、前記第２状態で前方から見て上方へ弯曲する曲がり板部とし、
鍔部(３０)を押し上げるときに前記左右方向中間部(３０ａ)で基端(Ｅ１)が蓋体(１６)に当接するように設けたことを特徴とする、請求項１に記載のヒンジキャップ。
【請求項３】
前記鍔部(３０)の左右方向中間部(３０ａ)は、第１状態でキャップ周壁(１０)の前面に沿って垂下しているとともに、前記第１状態で前方から見たときの前記鍔部(３０)の基端(Ｅ１)が前記左右方向中間部(３０ａ)で窪んでおり、かつ当該窪み部(３１)の形状は、左右一対の第２ヒンジ(２６)の間のキャップ周壁(１０)の垂直方向から見た輪郭に相応していることを特徴とする、請求項２に記載のヒンジキャップ。
【請求項４】
前記キャップ周壁(１０)の前面に、前記第１状態で鍔部(３０)の基端(Ｅ１)に当接する補助リブ(１２)を設け、第１状態と第２状態との間で鍔部(３０)を回転させるときに前記基端(Ｅ１)が補助リブ(１２)を乗り越えるように構成したことを特徴とする、請求項１から請求項３の何れかに記載のヒンジキャップ。
【請求項５】
前記蓋体(１６)の前面に、前記第２状態で前記鍔部(３０)の左右方向中間部(３０ａ)の裏面に当接する支持用突部(２４)を設け、第２状態から下方へ鍔部(３０)を回転させたときに、前記鍔部(３０)の基端(Ｅ１)が前記支持用突部(２４)を乗り越えるように形成したことを特徴とする、請求項１から請求項４のいずれかに記載のヒンジキャップ。
【発明の詳細な説明】
【技術分野】
【０００１】
本発明は、ヒンジキャップに関する。
【背景技術】
【０００２】
この種のヒンジキャップとして、キャップ本体の後部と、キャップ本体の上面に嵌着された蓋体の後部とを連結するとともに、蓋体の前部から鍔部を前方突出したものが知られている（特許文献１）。
【先行技術文献】
【特許文献】
【０００３】
【特許文献１】特開２００７−２６１６５４
【発明の概要】
【発明が解決しようとする課題】
【０００４】
特許文献１のヒンジキャップは、キャップ本体の上面への嵌着力が強いと、鍔部をつまんで引き上げるときに大きな力を要する。その鍔部の前方への突出長を長くすると、引き上げに要する力を小さくできると考えられるが、その反面ヒンジキャップが嵩張ることになり、保管などの際に邪魔になる。
【０００５】
本発明の目的は、小さな力で開蓋操作を行うことができるととともに、保管などの際に嵩張ることのないヒンジキャップを提供することである。
【課題を解決するための手段】
【０００６】
第１の手段は、注出孔６を有するキャップ頂壁４の外周からキャップ周壁１０を垂下させてなるキャップ本体２と、
このキャップ本体２の後部２ａへ第１ヒンジ１４を介して連結された後部１６ａを有し、前記キャップ頂壁４を開閉可能な蓋体１６と、
蓋体１６の前部へ左右一対の第２ヒンジ２６を介して連結され、その連結箇所から下方へ延びる第１状態と当該連結箇所から略前方へ庇状に延びる第２状態との間を回転可能に形成した鍔部３０と、
を具備し、
前記第２状態から鍔部３０をさらに引き上げると、鍔部３０の基端Ｅ１側が蓋体１６に突き当たって、これら鍔部３０及び蓋体１６が第１ヒンジ１４を中心として開方向へ回転するように形成した。
【０００７】
本手段は、図１に示す如く、キャップ本体２及び蓋体１６の各後部２ａ、１６ａを第１ヒンジ１４で連結するとともに、蓋体１６の前部に左右一対の第２ヒンジ２６を介して鍔部３０を連結することを提案している。
鍔部３０は、連結箇所から下方へ延びる第１状態（図１に実線で示す状態）と当該連結箇所から略前方へ庇状に延びる第２状態（図５に実線で示す状態）との間を回転可能であり、第２状態から図５に想像線で示す如くさらに引き上げると、鍔部３０の基端Ｅ１側が蓋体１６に突き当たって、これら鍔部３０及び蓋体１６が第１ヒンジ１４を中心に回転できる（図６参照）ようにしている。これによりテコの原理によって蓋体１６を僅かな力で開蓋できる。
“鍔部３０の基端Ｅ１側が蓋体１６に突き当たって”という表現は、図５に想像線で示すように、当接状態で鍔部３０が第２ヒンジ２６を中心として上方へ回転できない様に突き当たることを意味する。こうした態様で突き当たる限り、突き当たる場所や部位は図示例の通りでなくても構わない。
【０００８】
第２の手段は、第１の手段を有し、かつ前記鍔部３０の左右方向両側部３０ｂを、第２ヒンジ２６を介して蓋体１６に連結するとともに、左右方向中間部３０ａを、前記第２状態で前方から見て上方へ弯曲する曲がり板部とし、
鍔部３０を押し上げるときに前記左右方向中間部３０ａで基端Ｅ１が蓋体１６に当接するように設けた。
【０００９】
本手段では、図２に想像線で描くように、鍔部３０の左右方向中間部３０ａを上方へ弯曲する曲がり板部に形成している。これにより鍔部３０の左右方向中間部３０ａの裏側に指を掛けて開蓋操作をすることが容易となる。
【００１０】
第３の手段は、第２の手段を有し、かつ
前記鍔部３０の左右方向中間部３０ａは、第１状態でキャップ周壁１０の前面に沿って垂下しているとともに、前記第１状態で前方から見たときの前記鍔部３０の基端Ｅ１が前記左右方向中間部３０ａで窪んでおり、かつ当該窪み部３１の形状は、左右一対の第２ヒンジ２６の間のキャップ周壁１０の垂直方向から見た輪郭に相応している。
【００１１】
本手段では、図１及び図３に示す如く、記鍔部３０の左右方向中間部３０ａが、第１状態でキャップ周壁１０の前面に沿って垂下するように構成することを提案している。鍔部３０を設けることでヒンジキャップの体裁が大きく損なわれることを防止するためである。
また図２に示すように、第１状態で前方から見たときの前記鍔部３０の基端Ｅ１は前記左右方向中間部３０ａで窪んでおり、かつ当該窪み部３１の形状は、左右一対の第２ヒンジ２６の間のキャップ周壁１０の垂直方向から見た輪郭に相応した形状している。そうしないと、第１状態から第２状態へ鍔部３０を回転させる途中で、前記基端Ｅ１が左右方向中間部３０ａでキャップ周壁１０の前面に当たって回転できなくなるおそれがあるからである。
なお、“輪郭に相応した形状”とは、当該輪郭と同一又は近似した形状という程度の意味である。
【００１２】
第４の手段は、第１の手段から第３の手段のいずれかを有し、かつ
前記キャップ周壁１０の前面に、前記第１状態で鍔部３０の基端Ｅ１に当接する補助リブ１２を設け、第１状態と第２状態との間で鍔部３０を回転させるときに前記基端Ｅ１が補助リブ１２を乗り越えるように構成した。
【００１３】
本手段では、図２に示す如く、キャップ周壁１０の前面に、前記第１状態で鍔部３０の基端Ｅ１に当接する補助リブ１２を設けることを提案している。そして第１状態と第２状態との間で鍔部３０を回転させるときに前記基端Ｅ１が補助リブ１２を乗り越えるように構成している。これにより基端Ｅ１が補助リブ１２を乗り越える際にクリック感を生じるので、利用者は第１状態に至ったことを触覚により感知することができる。
【００１４】
第５の手段は、第１の手段から第４の手段を有し、かつ
前記蓋体１６の前面に、前記第２状態で前記鍔部３０の左右方向中間部３０ａの裏面に当接する支持用突部２４を設け、第２状態から下方へ鍔部３０を回転させたときに、前記鍔部３０の基端Ｅ１が前記支持用突部２４を乗り越えるように形成した。
【００１５】
本手段では、図１に示す如く、前記蓋体１６の前面に支持用突部２４を設けることを提案している。この支持用突片は、図２に想像線で示すように水平方向外方へ延びた鍔部３０の左右方向中間部３０ａの裏面と当接し、これを支えるように形成している。これにより、鍔部３０が下向きに傾斜することを回避できる。
【発明の効果】
【００１６】
第１の手段に係る発明によれば、蓋体１６の前部に左右一対の第２ヒンジ２６を介して鍔部３０を連結しており、連結箇所から下方へ鍔部３０を垂下した第１状態では、ヒンジキャップが嵩張ることを防止できる。また連結箇所から略前方へ庇状に延びる第２状態から、鍔部３０を引き上げることにより、キャップ本体２の後部２ａに設けた第１ヒンジ１４を中心として、テコの原理により鍔部３０及び蓋体１６を回転させることができるから、僅かな力で開蓋操作をすることができる。
第２の手段に係る発明によれば、鍔部３０の左右方向中間部３０ａを、第２状態で前方から見て上方へ弯曲する曲がり板部としたから、指を掛けやすい。
第３の手段に係る発明によれば、前記鍔部３０の左右方向中間部３０ａが、第１状態でキャップ周壁１０の前面に沿って垂下しているから、不使用状態でのヒンジキャップの外観を大きく損なうことがない。
第４の手段に係る発明によれば、キャップ周壁１０の前面に、前記第１状態で鍔部３０の基端Ｅ１に当接する補助リブ１２を設け、第１状態と第２状態との間で鍔部３０を回転させるときに前記基端Ｅ１が補助リブ１２を乗り越えるように構成したから、この乗り換えの際にクリック感を生じ、第１状態に至ったことを利用者が触感により感知できる。
第５の手段に係る発明によれば、前記蓋体１６の前面に、前記第２状態で前記鍔部３０の左右方向中間部３０ａの裏面に当接可能な支持用突部２４を設けたから、支持用突部２４が左右方向中間部３０ａの裏面を支えることで、鍔部３０が水平状態から大きく傾くことを防止できる。
【図面の簡単な説明】
【００１７】
【図１】本発明の第１実施形態に係るヒンジキャップの第１状態（鍔部が下向きの状態）での側面図である。
【図２】図１のヒンジキャップの第１状態での正面図である。
【図３】図１のヒンジキャップの第１状態での平面図である。
【図４】図１のヒンジキャップの第１状態での要部縦断面図である。
【図５】図１のヒンジキャップの第２状態（鍔部が横向きの状態）での側面図である。
【図６】図１のヒンジキャップの第２状態から、第１ヒンジを中心として蓋体及び鍔部を回転させた状態を示す説明図である。
【図７】図１のヒンジキャップの背面図である。
【発明を実施するための最良の形態】
【００１８】
図１から図７は、本発明の第１実施形態に係るヒンジキャップを示している。
【００１９】
ヒンジキャップは、キャップ本体２と、蓋体１６と、鍔部３０とで形成されている。これら各部材は一体成形することができ、素材としては例えば合成樹脂を用いることができる。
なお、本明細書では、部材相互の相対的な位置関係を説明するために、図４の右側（換言すると後述の第１ヒンジ１４がある側）を“後”と、また同図の左側を“前”というものとし、これらと直交する方向を、左右方向というものとする。
【００２０】
キャップ本体２は、図４に示す如く容器体１００の口頸部１０２の外面への装着用のキャップ頂壁４を有し、このキャップ頂壁４の外周から、キャップ周壁１０を垂下してなる。
前記キャップ頂壁４の適所（図示例では中心）には注出孔６が開口されており、その周辺からは注出筒８が起立されている。またキャップ頂壁４の外側部分には段差部５が形成されている。
キャップ周壁１０の前面上部には、補助リブ１２を付設する。図示例の補助リブ１２は、図２に示す如く、左右方向に横長のリブに形成されており、補助リブの下面を後述の鍔部３０の裏面との当接面としている。
【００２１】
蓋体１６は、図４に示す如く、蓋頂壁１８の外周から蓋周壁２２を垂下しており、この蓋周壁２２及びキャップ周壁１０の各後部２ａ、１６ａを、第１ヒンジ１４を介して相互に連結している。
前記蓋頂壁１８の裏面中心部からは栓棒２０が垂下されており、この栓棒２０を前記注出筒８内に液密に嵌合している。
前記蓋周壁２２の下部は、大内径部２３に形成しており、この大内径部２３を前記段差部５に嵌着している。本実施形態では、蓋周壁２２とキャップ周壁１０とはともに円筒形であり、かつ略同径に形成されている。
前記キャップ周壁１０の前面には、支持用突部２４を付設している。図示の支持用突部２４は、図２に示す如く、左右方向に横長のリブであり、支持用突部２４の上面を後述の鍔部３０の基端との当接面としている。支持用突部２４は、蓋周壁２２の下端から離して形成されている。
【００２２】
鍔部３０は、蓋体１６の前側に付設されている。この鍔部３０は、左右方向に幅広の板部として形成されており、左右方向両側部３０ｂを、蓋周壁２２の前面の左右両側に、左右一対の第２ヒンジ２６を介して回転可能に連結している。
すなわち、鍔部３０は、少なくとも、その連結箇所から前記蓋周壁２２の前面からキャップ周壁１０の前面に沿って下方へ延びる第１状態と、当該連結箇所から略前方へ庇状に延びる第２状態との間で回転可能に形成されている。
鍔部３０の左右方向両側部３０ｂは、図示例では、横方向に一定の幅を有する平板であり、鍔部３０の基端Ｅ１側で蓋体１６側にそれぞれ第２ヒンジ２６を介して連結している。前記左右方向両側部の“一定の幅”は、第２ヒンジの所要の連結強度が確保できる程度に設定する。
鍔部３０の左右方向中間部３０ａは、本実施形態では、前記第２状態において上方へ弯曲する形状（図示例ではアーチ状）を有する曲がり板部であり、少なくとも前記左右方向両側部３０ｂより左右方向に幅広に形成することが望ましい。
このような形状とする理由は、第１に、前記第２状態において、左右方向中間部３０ａの裏面に指をかけて引き上げる操作を容易とするためであり、第２に、第１状態で左右方向中間部３０ａがキャップ周壁１０の前面に沿って垂下されるようにして、ヒンジキャップの体裁が大きく損なわれることがないようにするためである。もっともこれらの形状は適宜変更することができる。
なお、“キャップ周壁の前面に沿って”とは、“当該前面に当接あるいは近接して”という程度の意味である。図３に示すように第１状態の左右方向中間部３０ａとキャップ周壁１０との間に一部隙間があっても構わないものとする。
図２に示すように、前記鍔部３０の基端Ｅ１は、第１状態で下方へ円弧状に窪んでおり、この窪み部３１の形状は、図３に示す如く垂直方向から見た蓋周壁２２の輪郭に相応するように形成されている。従って第１状態から第２状態へ鍔部３０を回転させようとするときに前記基端Ｅ１が蓋周壁に当たって前記回転を妨げることがないようにしている。
他方、前記鍔部３０の先端Ｅ２は、図示例では、図２に示す如く半円形状に形成している。もっともこれら形状は適宜変更することができる。
また図示はしないが、キャップ本体２の前面のうち第１状態で鍔部３０と重なり合う部分（キャップ周壁１０）には、鍔部３０の形状及び厚みに対応した形及び深さの収納凹部を設け、この収納凹部内に鍔部３０が収納された状態で鍔部３０がキャップ本体の輪郭からはみ出さないようにすると、体裁がよくなり、好適である。さらに、収容凹部内に鍔部３０の指掛け用の凹部を設けるとよい。
図５に想像線で示す如く、第２状態での鍔部３０の水平方向への突出長は、ヒンジキャップを装着した容器体の胴部の輪郭より外側にはみ出さないようにすることが外観上好適である。
また蓋体と鍔部３０とを一体成形する場合には、図５に示す如く、鍔部３０の基端Ｅ１と蓋周壁２２との間には、小さな隙間ｇを設けることが好適である。
【００２３】
前記第１状態では鍔部３０の基端Ｅ１には、前記補助リブ１２が当接している。
補助リブ１２は、鍔部３０を第１状態と第２状態との間で回転させたときに、前記基端Ｅ１が強制的に乗り越えることができる長さに設け、第１状態と第２状態との間で鍔部３０を回転したときに上記乗り越えの際にクリック感を生じるように形成する。これにより、利用者は鍔部３０を摘まむ指の感触により、鍔部が指定の位置に戻ったことを感知することができる。
第２状態では鍔部３０の基端寄りの裏面には、図１に想像線で示す如く、支持用突部２４を当接させている。前記支持用突部２４が鍔部３０を支えるので、鍔部３０が斜め下方へ大きく傾くことを回避できる。支持用突部２４も、鍔部３０を第１状態と第２状態との間で回転させたときに、前記基端Ｅ１が強制的に乗り越えることができる長さに設ける。
【００２４】
前記構成において、ヒンジキャップを使用しない状態では、前記鍔部３０は、第２ヒンジ２６から下方へ垂下した第１状態としておくとよい。
ヒンジキャップを容器体の口頸部へ装着して、初回使用するときに、鍔部３０の先端Ｅ２に指を掛けて、第２ヒンジ２６から前方へ延びる第２状態へと回転させる。これにより鍔部３０が前方へ長く延びた状態で使用できる。
蓋体１６を開くときには、第２状態より、鍔部３０の左右方向中間部３０ａの裏面に指を掛けて引き上げると、図５に想像線で示す如く、鍔部３０の基端Ｅ１が第２ヒンジ２６の上方で蓋周壁２２の前面に突き当たるので、鍔部３０はこれ以上第２ヒンジ２６を中心として蓋体１６に対して回転することができない。その状態で鍔部３０の引上げを続けると、前記基端Ｅ１が蓋周壁２２の前面に押圧力ｆを作用させるので、第１ヒンジ１４を中心とする回転モーメントが作用する。これにより、図６に示すように鍔部３０及び蓋体１６は“くの字”状に傾きながら、第１ヒンジ１４を中心として回転し、蓋体１６が開蓋される。
この際に鍔部３０及び蓋体１６は一個のレバーとして働く。支点を第１ヒンジ１４、力点を鍔部３０の先端Ｅ２付近、作用点を注出筒８及び栓棒２０の嵌合箇所と考えると、鍔部３０を設けずに蓋周壁２２の前部に指を掛けて操作する場合に比べて、支点と力点との距離が長くなるから、テコの原理により、より小さな力で蓋体１６を開蓋することができる。
従って子供のように指の力が弱い利用者でも容易に開蓋することができ、誰にでも使い易いユニバーサル型のヒンジキャップを提供することができる。
【符号の説明】
【００２５】
２…キャップ本体  ２ａ…後部  ４…キャップ頂壁  
５…段差部  ６…注出孔  ８…注出筒
１０…キャップ周壁  １２…補助リブ  １４…第１ヒンジ
１６…蓋体  １６ａ…後部  １８…蓋頂壁  ２０…栓棒  ２２…蓋周壁
２３…大内径部
２４…支持用突部  ２６…第２ヒンジ
３０…鍔部  ３０a…左右方向中間部  ３０b…左右方向両側部  ３１…窪み部
Ｅ１…基端  Ｅ２…先端  ｇ…隙間
【図１】
2018090283.tif 000003
【図２】
2018090283.tif 000004
【図３】
2018090283.tif 000005
【図４】
2018090283.tif 000006
【図５】
2018090283.tif 000007
【図６】
2018090283.tif 000008
【図７】
2018090283.tif 000009